(57)【要約】【課題】化粧筆の繰り出し操作で蓋体内で筆先に化粧料を付着させると共に筆先を傷める心配なく蓋体と本体とを確実に離脱させる。【解決手段】化粧料２を収納し開口部内に嵌合部を有する蓋体１と、化粧筆１１を繰り出し可能に内装し蓋体と嵌脱可能に嵌合する本体１０とを備え、蓋体１０には、化粧筆１１を化粧料２へ案内する内方へ傾斜したガイド部８が形成されていると共に、本体１には、化粧筆１１を装着し螺合突起１３を突設した昇降筒１４と、昇降筒１４を内装し螺合突起１３が貫通するガイド溝２１がスリーブ１６に穿設され頸部１７に蓋体１の嵌合部と嵌合機構３ａを構成する嵌合部を設けた中筒１５と、中筒１５と回動可能に外嵌し螺合突起１３が螺合する螺旋溝２６を螺設した外筒２５とを有して繰り出し機構が構成され、繰り出し機構の回転抵抗力よりも蓋体１と本体１０による嵌合機構３ａの回転抵抗力を大きく設定した。【選択図】      図１
2004159901.tif 000002
【特許請求の範囲】
【請求項１】
内奥部に化粧料を収納し開口部内に嵌合部を有する蓋体と、前記化粧料を塗布する化粧筆を繰り出し可能に内装し前記蓋体と嵌脱可能に嵌合する本体とを備えて成る化粧料容器において、前記蓋体における胴部の内周壁には、前記化粧筆の先端部を前記化粧料へ案内する内方へ傾斜したガイド部が形成されていると共に、前記本体には、化粧筆を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記化粧筆の繰り出し機構が構成されており、前記本体の繰り出し機構における作動時の回転抵抗力よりも前記蓋体と本体との嵌合時における嵌合機構の回転抵抗力を大きく設定したことを特徴とする化粧料容器。
【請求項２】
前記嵌合機構が、蓋体に設けた雌ネジと、前記雌ネジと螺合する本体の中筒に設けた雄ネジで構成されていることを特徴とする請求項１記載の化粧料容器。
【請求項３】
前記嵌合機構が、蓋体に設けたボスと、前記ボスが係合する本体の中筒に刻設したＬ字状ネジとから構成され、前記Ｌ字状ネジには前記ボスを上方へガイドするガイド傾斜部と前記ボスを掛止する乗り越えリブが形成されていることを特徴とする請求項１記載の化粧料容器。
【請求項４】
前記蓋体を、化粧料を充填した天蓋と胴部とをアンダーカット係合して構成したことを特徴とする請求項１、２又は３記載の化粧料容器。
【発明の詳細な説明】
【０００１】
【発明の属する技術分野】
本発明は、頬紅やプレストパウダー、白粉のような固形状の化粧料や粉体化粧料を収容した蓋体と、収納した化粧料に使用する化粧筆を繰り出し機構で出没自在に収納した本体と、から成る携帯に便利な棒状の化粧料容器に関するものである。
【０００２】
【従来技術】
この種の容器として、例えば、実公平６−３０１０６号には、蓋体内に化粧料を収容し、この蓋体と嵌合する本体内に繰り出し機構を設けて繰り出し操作で伸長する化粧筆を備えたものが提案されている。この容器を使用するときは、閉蓋したまま化粧筆を繰り出し伸長させて筆先を化粧料に圧接することにより化粧料を付着させ、閉蓋状態のまま更に化粧筆を繰り出して化粧筆で蓋体を押し上げることにより本体におけるスリーブの嵌合部と蓋体との嵌合を解除して本体を蓋体から抜脱自在とし、この時、化粧筆には化粧料が付着していることから蓋体から本体を抜脱すると同時に塗布が可能となるものである。
【０００３】
【発明が解決しようとする課題】
しかしながら、上記従来の容器は、蓋体と本体とを把持して相互回転させることにより化粧筆を蓋体内へ繰り出すものであることから、化粧筆の押し上げ力で本体におけるスリーブの嵌合部と蓋体との嵌合を解除するとき、蓋体から本体を引き抜く操作を意識的に加えないと、蓋体とスリーブの嵌合部とで相互回転方向に滑り合い、蓋体と本体とが空回り状態となって嵌合が解除されずに化粧筆の回し過ぎにより加圧状態の筆先を傷めてしまうことがある。
【０００４】
また、蓋体内でスリーブから繰り出された化粧筆は、筆先が拡開した状態で化粧料に突き当たるので、化粧料の付着量が多くなり過ぎると共に筆先が傷みやすい。また、スリーブ外壁と蓋体内壁とで形成する空間部が大きい為に、粉末化粧料などでは化粧筆に付着しなかった付着残りが多く空間部に滞留し易く、蓋体の開閉時に化粧料の粉末が容器の外に噴出する。
【０００５】
本発明は、上記の問題に鑑みてなされたもので、化粧筆の繰り出し操作で蓋体内で筆先に化粧料を付着させると共に筆先を傷める心配なく蓋体と本体とを確実に離脱させ、付着残りの滞留化粧料の少ない容器にすることにある。
【０００６】
【課題を解決するための手段】
本発明は、内奥部に化粧料を収納し開口部内に嵌合部を有する蓋体と、前記化粧料を塗布する化粧筆を繰り出し可能に内装し前記蓋体と嵌脱可能に嵌合する本体とを備えて成る化粧料容器において、前記蓋体における胴部の内周壁には、前記化粧筆の先端部を前記化粧料へ案内する内方へ傾斜したガイド部が形成されていると共に、前記本体には、化粧筆を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記化粧筆の繰り出し機構が構成されており、前記本体の繰り出し機構における作動時の回転抵抗力よりも前記蓋体と本体との嵌合時における嵌合機構の回転抵抗力を大きく設定した。
【０００７】
上記の構成としたことにより、蓋体と本体を把持して化粧筆が昇動する回転方向へ相互回転させると、蓋体のガイド部で案内された収束状態の筆先が化粧料に圧接して化粧料が付着すると共に中筒の回転が阻止される。更に回転操作を続けることにより、蓋体と本体との嵌合が確実に解除され、蓋体と本体が離脱可能となる。
【０００８】
前記嵌合機構を、蓋体に設けた雌ネジと、前記雌ネジと螺合する本体の中筒に設けた雄ネジで構成することにより、化粧筆が昇動する方向への連続する回転操作で筆先に化粧料を付着し、且つ蓋体が空回りすることなく上昇して嵌合を確実に離脱させ、蓋体を閉めるときには化粧料の粉末が噴出することなく閉蓋でき、嵌合時には気密性の高いものとすることができる。
【０００９】
また、前記嵌合機構が、蓋体に設けたボスと、前記ボスが係合する本体の中筒に刻設したＬ字状ネジとから構成され、前記Ｌ字状ネジには前記ボスを上方へガイドするガイド傾斜部と前記ボスを係止する乗り越えリブが形成された機構としてもよく、蓋体の嵌脱を簡便に行うことができる。
【００１０】
前記蓋体を、化粧料を充填した天蓋と胴とをアンダーカット係合して構成してもよい。
【００１１】
【発明の実施の形態】
以下、本発明の好適な実施の形態を添付図面を参照しながら詳細に説明する。
【００１２】
図１乃至図６は、本発明の化粧料容器の実施の形態を示しており、内奥部に化粧料２を収納し開口部３内に嵌合部を有する蓋体１と、前記化粧料２を塗布する化粧筆１１を繰り出し可能に内装し前記蓋体１と嵌脱可能に嵌合する本体１０とを備えて構成されている。
【００１３】
蓋体１は、胴部６とその頂部に嵌脱自在にネジ嵌合した天蓋７とで有頂筒状に形成され開口部の内壁には蓋体１側の本体１０との嵌合部であって本体１０と嵌合機構３を構成する雌ネジ５が螺設されている。胴部６の奥部内周壁には、内方へ傾斜したガイド部８が形成され、ガイド部８の上面は上向き段部８ａとなっている。蓋体１の内奥部には中皿４に充填されたプレストパウダーからなる化粧料２が上向き段部８ａに支持された状態で収納されており、また、胴部６のガイド部８で、繰り出し操作により上昇する化粧筆１１の先端部を化粧料２へ収束状態のまま案内するようになっている。また、中皿４に充填された化粧料２は、天蓋７を取り外してリフィル可能となっている。
【００１４】
化粧料２をリフィルとしない場合は、図６に示すように、蓋体１の天蓋７に化粧料収納用のスリーブ７ａを設け、スリーブ７ａの内側に化粧料２を充填し、この天蓋７と胴部６とをアンダーカット係合９とすることが好ましい。上記の構成とすることにより、蓋体１の部品数を少なくすると共に組み立て速度を速くすることができる。
【００１５】
本体１０は、捲き金具１２で毛材を捲き固めた化粧筆１１を装着し外周壁に一対の螺合突起１３、１３を突設した昇降筒１４と、この昇降筒１４を昇降自在に内装する中筒１５と、この中筒１５と回動可能に外嵌する有底の外筒２５とで構成されている。
【００１６】
中筒１５は、その下方のスリーブ１６に昇降筒１４の螺合突起１３、１３が貫通する一対の縦長のガイド溝２１、２１が穿設され、ガイド溝２１、２１の上下両端部には横方向のストッパ溝２１ａ、２１ｂが連通して設けられている。また、中筒１５の頸部１７外周には蓋体１の雌ネジ５と嵌合して嵌合機構３ａを構成する雄ネジ１８が螺設され、雄ネジ１８の基端にはフランジ１９が形成されており、該フランジ１９の下方には外筒２５と回転自在にアンダーカット嵌合する外向きの突条２０が突設されている。
【００１７】
外筒２５は、その内壁に前記スリーブ１６のガイド溝２１、２１を貫通して螺合突起１３、１３が螺合するリードの長い螺旋溝２６が凹設されている。また、開口の内壁には、中筒１５の突条２０と回動自在にアンダーカット嵌合する周溝２７が凹設されている。この外筒２５と前記中筒２０と昇降筒１４とで本体１０における化粧筆１１の繰り出し機構が構成されいる。
【００１８】
この本体１０に組み付けられた化粧府筆１１の繰り出し機構における回転作動時の回転抵抗力は、蓋体１と本体１０との嵌合時におけるネジ嵌合の回転抵抗力よりも小さく設定してある。即ち、蓋体１と本体１０との螺子嵌合における螺子のリードは化粧筆１１の繰り出し機構における螺旋溝２６のリードよりも小さいことから、閉蓋した際の蓋体１と本体１０の当接面における接触抵抗力が繰り出し機構の回転抵抗力よりも強くなり、開蓋操作をすると必ず回転抵抗力の小さい繰り出し機構から作動する。
【００１９】
以上のように構成された化粧料容器は、蓋体１と本体１０を把持して化粧筆１１が昇動する回転方向へ相互回転させると、蓋体１の回転と共に中筒１５が外筒２５と相互回転することにより昇降筒１４が昇動する。そして、蓋体１の内方へ傾斜したガイド部８で案内された収束状態の筆先が化粧料２に圧接し、筆先に化粧料２が付着すると共に中筒１５の回転が阻止される。
【００２０】
更に蓋体１を化粧筆１１の昇動方向へ回転を続けることで、図３に示すように、蓋体１本体１０とのネジ嵌合に解除方向の回転力が働いてネジ嵌合が緩み、蓋体１が上昇してネジ嵌合が解除される。従って、蓋体１を無理なく本体１０から離脱させることが可能となり、蓋体１と本体１０とを相互回転させる同一方向の一連の操作で筆先に化粧料１を付着させ且つ蓋体１を取り外すことができる。
【００２１】
図４に示すように、蓋体１を取り外した後、更に化粧筆１１を繰り出すことにより、化粧筆１１は中筒１５から開放され、化粧料を付着した筆先が化粧のし易い状態に拡開する。
【００２２】
また、蓋体１内の化粧料２が摩耗した場合でも、図５に示すように、繰り出された化粧筆１１の筆先が蓋体１のガイド部８に案内され収束状態で中皿４の中に挿入されるので、筆先を傷めることなく化粧料を付着させることができる。
【００２３】
化粧後、閉蓋するときは、中筒１５の頸部１７を把持し昇降筒１４の降動方向へ外筒２５と相互回転させて化粧筆１１を本体１０内へ収納し、蓋体１を本体１０の頸部１７へネジ締めする。本実施の形態では、蓋体１と本体１０とをネジ嵌合としたので、係合が確実であり、フランジ１９の上面にパッキンなどを用いれば粉漏れ等のない気密性の高い携帯容器とすることが可能である。
【００２４】
図７は、本発明に係る化粧料容器の別の実施の形態を示しており、図において、先の実施の形態と共通する部分については同一符号を付しその説明を省略する。
【００２５】
同図に示すように、本実施の形態の化粧料容器は、その嵌合機構３ａが、蓋体１の開口部３内に対向して設けた一対のボス３０と、このボス３０が係合する本体１０における中筒１５の頚部１７外周面に刻設したＬ字状ネジ３１とから構成されている。
【００２６】
このＬ字状ネジ３１には、蓋体１を閉めたときボス３０をＬ字状ネジ３１に誘導する誘導部３２と、蓋体１を開くときボス３０を上方へガイドするガイド傾斜部３３と、ボス３０をＬ字状ネジ３１の内奥部３４に掛止する乗り越えリブ３５とが形成されている。
【００２７】
蓋体１をネジ閉めると、Ｌ字状ネジ３１に誘導されたボス３０は乗り越えリブ３５を乗り越えて内奥部３４に掛止する。蓋体１と本体１０を把持して化粧筆１１が昇動する回転方向へ相互回転させると、蓋体１のボス３０が中筒１５の内奥部３４で掛止していることから、蓋体１の回転と共に中筒１５が外筒２５と相互回転して昇降筒１４が昇動し、筆先が化粧料２に当接して化粧料２が付着すると共に中筒１５の回転が阻止される。
【００２８】
更に回転を続けると、ボス３０は乗り越えリブ３５を乗り越えガイド傾斜部３３によって上方へガイドされ、蓋体１のネジ嵌合が解除される。Ｌ字状ネジ３１のリードが短いことから、蓋体１と本体１０との嵌脱を簡便に行うことができる。
【００２９】
尚、Ｌ字状ネジ３１のガイド傾斜部３３の上方に垂直部３６を設けると、垂直部３６の部分では蓋体１を化粧筆１１の撓みで押し上げることになるので、垂直部３６の距離の大きさで筆先への化粧料の付着具合を調整することができる。従って、化粧料の用方に合わせて、適宜距離の垂直部３６を設けるとよい。
【００３０】
【発明の効果】
本発明は、以上説明したような形態で実施され、以下に記載されるような効果を奏する。
【００３１】
蓋体と本体とを相互回転させることにより、化粧筆が収束状態で化粧料に圧接すると共に化粧筆の昇動方向の回転力で蓋体のネジ嵌合が解除されるようにしたので、化粧筆が昇動する方向へ回転させるだけで筆先を傷めることなく化粧料が付着して塗布可能となると共に、同一方向への連続する回転操作で蓋体が空回りすることなく本体から確実に離脱する使い勝手の良い容器とすることができる。
【００３２】
また、蓋体の奥部内周壁に内方へ傾斜したガイド部を形成し、上昇する化粧筆の先端部を収束した状態で化粧料へ案内するようにしたので、筆先が拡開して損傷することがなく、化粧料の過付着を防止することができる。
【図面の簡単な説明】
【図１】本発明の化粧料容器の実施の形態を示す断面図。
【図２】図１の容器を分解して示す断面図。
【図３】図１の容器の作動状態を示す断面図。
【図４】図１の容器における繰り出しが完了した状態の本体を示す断面図。
【図５】図１の容器における化粧料が摩耗したときの作動状態のを示す断面図。
【図６】本発明の化粧料容器の別の実施の形態を示す断面図。
【図７】本発明の化粧料容器の別の実施の形態を示す断面図。
【符号の説明】
１  蓋体，２  化粧料，３ａ  嵌合機構，５  雌ネジ，６  胴部，７  天蓋，８  ガイド部，９  アンダーカット係合，１０  本体，１１  化粧筆，１３、１３  螺合突起，１４  昇降筒，１５  中筒，１６  スリーブ，１７  頸部，１８雄ネジ，２１  ガイド溝，２５  外筒，２６  螺旋溝，３０  ボス，３１  Ｌ字状ネジ，３３  ガイド傾斜部，３５  乗り越えリブ，
【図１】
2004159901.tif 000003
【図２】
2004159901.tif 000004
【図３】
2004159901.tif 000005
【図４】
2004159901.tif 000006
【図５】
2004159901.tif 000007
【図６】
2004159901.tif 000008
【図７】
2004159901.tif 000009